(57)【要約】【課題】機器の主電源スイッチの配置構造、この構造を備えた画像形成装置において、機器を大型化、コストアップさせること無く、ユーザーが誤って省エネ用電源スイッチと誤認して主電源スイッチを押下してしまうことを防止する。【解決手段】装置本体１の前面側の部位で、給紙トレイ７と用紙の縦搬送経路１ａで囲われたデッドスペースに主電源スイッチ１１を配置する。装置本体１に対して水平方向に引き出し、挿入可能で、挿入時に主電源スイッチ１１を配置した部位を覆う給紙トレイ７のカバー７ａの主電源スイッチ１１を配置した部位と対向する部位に、主電源スイッチ１１を外部へ臨ませる開口１０を設ける。開口１０には上下方向で回動可能に透明カバー１２を設ける。【選択図】図３
2016120621.tif 000002
【特許請求の範囲】
【請求項１】
機器本体の前面側の部位のデッドスペースに機器の主電源スイッチを配置し、
前記機器本体に対して水平方向に引き出し、挿入可能で、挿入時に前記主電源スイッチを配置した部位を覆う可動部材の前記主電源スイッチを配置した部位と対向する部位に、前記主電源スイッチを外部へ臨ませる開口を設けてなる、
ことを特徴とする機器の主電源スイッチの配置構造。
【請求項２】
請求項１に記載の機器の主電源スイッチの配置構造において、
前記開口に透明カバーを開閉可能に備えた、
ことを特徴とする機器の主電源スイッチの配置構造。
【請求項３】
装置本体から水平方向に引き出し可能な給紙トレイを備え、
前記給紙トレイの外装部材の前記主電源スイッチと対向する部位に、前記主電源スイッチを外部へ臨ませる開口を設け、
前記装置本体の前記開口と対向する位置に、前記主電源スイッチを有してなる、
ことを特徴とする画像形成装置。
【請求項４】
請求項３に記載の画像形成装置において、
前記主電源スイッチを、前記装置本体の前記給紙トレイの内側の部位で、前記装置本体内の用紙搬送経路に隣接した部位に設けた、
ことを特徴とする画像形成装置。
【請求項５】
請求項３に記載の画像形成装置において、
前記主電源スイッチを、前記装置本体の前記給紙トレイの内側の部位で、前記装置本体内の用紙搬送経路に隣接しかつ前記給紙トレイの前面側のカバーで覆われる部位に設けた、
ことを特徴とする画像形成装置。
【請求項６】
請求項３乃至請求項５のいずれか一項に記載の画像形成装置において
前記主電源スイッチがプッシュ式スイッチであり、
該主電源スイッチ以外のスイッチをすべてタッチパネル操作式のスイッチとしてなる、
ことを特徴とする画像形成装置。
【発明の詳細な説明】
【技術分野】
【０００１】
本発明は、機器の主電源スイッチの配置構造に関し、詳細には画像形成装置等の機器の主電源スイッチの配置構造と、この構造を備えた画像形成装置に関する。
【背景技術】
【０００２】
近年の画像形成装置等の機器は、機器全体の電源のオン、オフを行う主電源スイッチのほかに、コントローラ部等の電源供給を残して作像エンジン部等の電源をオン、オフするための省エネ用電源スイッチを有するものがある。このような機器の主電源スイッチは、視認性や操作性の観点から機器本体の前面側に設置される場合があり、省エネ用電源スイッチと近接して配置されることも多い。図１はそのような機器の主電源スイッチの配置構造を有する画像形成装置の正面図である。図中の符号１は装置本体、２は操作パネル部、３は省エネ用電源スイッチ、４は主電源スイッチとそのカバーである。このような近年の配置構造では、省エネ用電源スイッチと誤認して主電源スイッチを押下してしまう場合がある。
【０００３】
また近年、主電源スイッチにはプッシュ式スイッチが主流になりつつあるが、例えば画像形成装置の前カバーの右上等にプッシュスイッチを設置した場合、不慣れなユーザーにとっては操作部上の省エネ電源スイッチとの区別は難しい場合がある。そのようなユーザーは、省エネモードに移行させるかあるいは省エネモードから復帰させるつもりで省エネ用電源スイッチを操作しようとして、誤って主電源スイッチを押下してしまう恐れがある。
【０００４】
そして、誤って主電源スイッチを切ると、シャットダウンから主電源スイッチの再投入、装置の起動までの時間を浪費するため作業性を損なってしまう。さらに、印刷動作中に主電源スイッチをオフとした場合、画像形成処理にダメージを与えることになり、その後の復帰後にもその影響で障害が発生することも有り得る。
【０００５】
また画像形成装置の外装側面や前カバー内側に主電源スイッチを設置する場合は視認性が悪い。図２に示すように、画像形成装置等の機器で装置本体１の前カバー５の外側に主電源スイッチを開閉可能なカバー６（多くは透明、半透明のカバー）とともに設けると、視認性は良くなる。しかし、前カバー５の開閉と同時に意図せずにカバー６も開閉してしまうため、カバー６を破損する等の可能性も高まる。図２において符号７は給紙トレイ示す。
【０００６】
特許文献１では、印刷作業中に主電源スイッチがオフされても機械に損傷が生じる事態を回避する目的で、主電源スイッチカバーの開閉状況を検知する開閉検知センサを設け、印刷中作業中に主電源スイッチカバーを開けると、強制的に印刷終了動作に移行させる構成が開示されている。
【０００７】
しかしながら、このような特許文献１の構成では、主電源スイッチと省エネ用電源スイッチの誤認を防止することはできず、誤って主電源スイッチを押下してしまうことを防ぎにくい。印刷作業中にスイッチをオフされた場合の画像処理装置へのダメージは回避されるが、上記の通り作業性が低下してしまうとともに、センサ追加によりコストアップや、機器本体が大型化してしまうという問題もある。
【発明の概要】
【発明が解決しようとする課題】
【０００８】
本発明は、機器を大型化、コストアップさせること無く、ユーザーが誤って省エネ用電源スイッチと誤認して主電源スイッチを押下してしまうことを防止することを目的とする。
【課題を解決するための手段】
【０００９】
本発明に係る機器の主電源スイッチの配置構造は、機器本体の前面側の部位のデッドスペースに機器の主電源スイッチを配置し、前記機器本体に対して水平方向に引き出し、挿入可能で、挿入時に前記主電源スイッチを配置した部位を覆う可動部材の前記主電源スイッチを配置した部位と対向する部位に、前記主電源スイッチを外部へ臨ませる開口を設けてなる、ことを特徴とする。
【発明の効果】
【００１０】
本発明によれば、コストアップや大型化させることなく、ユーザーが主電源スイッチと省エネ用電源スイッチを容易に判別可能にすることで、省エネ電源スイッチと誤認して主電源スイッチを押下してしまうことによる作業性低下を防止することができる。
【図面の簡単な説明】
【００１１】
【図１】機器の主電源スイッチの配置構造を有する画像形成装置の従来例を示す正面図である。
【図２】画像形成装置の外装側面や前カバー内側に主電源スイッチを設置する従来例を示す側面図である。
【図３】本発明の一実施形態に係る画像形成装置の正面図（ａ）、部分拡大図（ｂ）、透明カバーを開けている状態の部分拡大斜視図（ｃ）、前カバーを開けて主電源スイッチを露出させている状態の部分拡大斜視図（ｄ）である。
【図４】図３（ａ）のＡ−Ａ断面図である。
【図５】本発明の他の実施形態に係る画像形成装置の正面図である。
【発明を実施するための形態】
【００１２】
本発明の実施の形態を図面を参照して説明する。
本発明に係る機器の主電源スイッチの配置構造、及びこの構造を備えた画像形成装置は、主電源スイッチの配置に際して、以下の特徴を有する。要するに、機器本体の前面側の部位のデッドスペースに主電源スイッチを配置する。機器本体に対して水平方向に引き出し、挿入可能で、挿入時に主電源スイッチを配置した部位を覆う可動部材、例えば給紙トレイの主電源スイッチを配置した部位と対向する部位に、主電源スイッチを外部へ臨ませる開口を設けることが特徴になっている。
【００１３】
＜実施形態１＞
図３は、本発明の一実施形態に係る画像形成装置の正面図（ａ）、部分拡大図（ｂ）、透明カバーを開けている状態の部分拡大斜視図（ｃ）、前カバーを開けて主電源スイッチを露出させている状態の部分拡大斜視図（ｄ）である。図４は、図３（ａ）のＡ−Ａ断面図である。なお以下では、先に説明した従来の例と共通する装置、要素、部分等には共通する符号を付して説明する。
図示の例の画像形成装置は、装置本体１から水平方向に引き出し可能な給紙トレイ７を備えている。この給紙トレイ７の外装部材（取っ手を兼ねるカバー７ａ）には、図の右端の部位に開口１０が設けてある。
【００１４】
一方、装置本体１の図中右端で給紙トレイ７と対応する位置に主電源スイッチ１１を設けてある。なお、図３においても、符号２は操作パネル部、３は省エネ用電源スイッチである。なお本実施形態では、後述する主電源スイッチがプッシュ式スイッチであり、省エネ用電源スイッチ３等の主電源スイッチ以外のスイッチはすべてタッチパネル操作式のスイッチである。
【００１５】
主電源スイッチ１１を設けた部位の位置は、給紙トレイ７を装置本体１内へ挿入し、カバー７ａを閉じた状態でカバー７ａに覆われ、その状態でカバー７ａの開口１０と対向する位置である。またこの位置は、装置本体１内に設けた用紙搬送経路、図示の例では縦搬送経路１ａを覆っている部位のすぐ下の部位である。給紙トレイ７内にも用紙の搬送経路が存在しているものとすれば、その搬送経路の近傍あるいはその前面側の部位でもある。詳細には、装置本体１の給紙トレイ７を設ける部位のすぐ下で装置本体１の前面側を構成する部材に設けてある。その結果、主電源スイッチ１１を設けた部位の位置は、装置本体１内の用紙の縦搬送経路１ａに隣接した部位となる。また、給紙トレイ７と用紙の縦搬送経路１ａで囲われたデッドスペースでもある。
【００１６】
給紙トレイ７のカバー７ａの主電源スイッチ１１と対向する位置に、主電源スイッチ１１を外部から視認可能とするための透明カバー１２を設けてある。透明カバー１２は上端部を水平にカバー７ａに軸支してあり、上下方向で回動自在、開閉可能となっている。主電源スイッチ１１の前面側に透明カバー１２を設けることで、ユーザーが膝などで誤って主電源スイッチ１１を押してしまうのを防止できる。なお本実施形態では給紙トレイ７を水平方向に引き出すので、透明カバー１２が意図せず開閉する恐れは無い。
【００１７】
このような構成とすることにより、主電源スイッチ１１は装置本体１の上部の操作パネル部２に配してある省エネ用電源スイッチ３から離れた位置に設置され、かつ装置本体１の前面側に設置することで視認性も確保できる。そのため、省エネ用電源スイッチ３と誤認して押下することを防止できる。また、給紙トレイ７と用紙の縦搬送経路１ａで囲われたデッドスペースに配するので、デッドスペースを活用でき、それによって装置の小型化を図れることにもなる。また検知センサ等を使用しないため小型化、およびコストダウンを図れる。
【００１８】
＜実施形態２＞
図５は、本発明の他の実施形態に係る画像形成装置の正面図である。
本実施形態は、操作パネル部２の操作部のほぼ全体が液晶パネル２ａで形成してあり、省エネ用電源スイッチが液晶パネル２ａ内に画像として表示される。このようなタイプの操作パネル部２を有する画像形成装置においても実施形態１と同様の構成とすれば、同様の作用効果を奏し得る。その他は実施形態１と同様につき説明を省略する。
【００１９】
本発明は以上説明した実施形態に限定されるものではなく、多くの変形が本発明の技術的思想内で当分野において通常の知識を有する者により可能である。
【符号の説明】
【００２０】
１    ：装置本体
１ａ  ：縦搬送経路
２    ：操作パネル部
２ａ  ：液晶パネル
３    ：省エネ用電源スイッチ
５    ：前カバー
６    ：カバー
７    ：給紙トレイ
７ａ  ：カバー
１０  ：開口
１１  ：主電源スイッチ
１２  ：透明カバー
【先行技術文献】
【特許文献】
【００２１】
【特許文献１】特開２００７−２７２１７８号公報
【図１】
2016120621.tif 000003
【図２】
2016120621.tif 000004
【図３】
2016120621.tif 000005
【図４】
2016120621.tif 000006
【図５】
2016120621.tif 000007